(57)【特許請求の範囲】
【請求項１】
伝送路状況に応じて変調符号化率方式（ＭＣＳ）及びリソースブロック数（ＮＲＢ）が定められる通信方式により、予め定められたパケット伝送の動作モードを示すトランスミッションモード（ＴＭ）で動作する移動通信端末（５）を試験する移動通信端末試験装置（１、２）であって、
前記変調符号化率方式の情報を取得する変調符号化率方式情報取得手段（５２、７３）と、
前記リソースブロック数の情報を取得するリソースブロック数情報取得手段（５３、７１）と、
前記トランスミッションモードの情報を取得するトランスミッションモード情報取得手段（５１）と、
前記変調符号化率方式、前記リソースブロック数及び前記トランスミッションモードの各情報から所定時間当たりに伝送可能な最大のトランスポートブロックサイズ（ＴＢＳ）を取得するトランスポートブロックサイズ取得手段（４１）と、
前記トランスポートブロックサイズからパケット伝送レートを求めるパケット伝送レート算出手段（４３）と、
前記パケット伝送レート（２１１）を表示するパケット伝送レート表示手段（９３）と、
前記移動通信端末の通信帯域幅（ＢＷ）の情報及び前記トランスミッションモードの情報を含む試験条件を入力する試験条件入力手段（９１）と、
前記移動通信端末の通信能力を示す端末カテゴリの情報を前記移動通信端末から取得する端末カテゴリ情報取得手段（７２）と、
前記変調符号化率方式と前記トランスポートブロックサイズとの対応関係を示すトランスポートブロックサイズテーブル（３２）を記憶するテーブル記憶手段（６０）と、を備え、
前記トランスミッションモード情報取得手段は、前記試験条件入力手段が入力したトランスミッションモードの情報を取得するものであり、
前記変調符号化率方式情報取得手段は、前記通信帯域幅において取り得る最大のトランスポートブロックサイズ及び前記端末カテゴリにおいて取り得る最大のトランスポートブロックサイズのうち小さいトランスポートブロックサイズに基づいて前記変調符号化率方式の情報を取得するものであり、
前記トランスポートブロックサイズ取得手段は、前記変調符号化率方式情報取得手段が取得した変調符号化率方式の情報と前記トランスポートブロックサイズテーブルとから前記トランスポートブロックサイズを取得するものであることを特徴とする移動通信端末試験装置。
【請求項２】
伝送路状況に応じて変調符号化率方式（ＭＣＳ）及びリソースブロック数（ＮＲＢ）が定められる通信方式により、予め定められたパケット伝送の動作モードを示すトランスミッションモード（ＴＭ）で動作する移動通信端末（５）を試験する移動通信端末試験方法であって、
前記変調符号化率方式の情報を取得する変調符号化率方式情報取得ステップ（Ｓ１１、Ｓ２５）と、
前記リソースブロック数の情報を取得するリソースブロック数情報取得ステップ（Ｓ１１、Ｓ２２）と、
前記トランスミッションモードの情報を取得するトランスミッションモード情報取得ステップ（Ｓ１１）と、
前記変調符号化率方式、前記リソースブロック数及び前記トランスミッションモードの各情報から所定時間当たりに伝送可能な最大のトランスポートブロックサイズ（ＴＢＳ）を取得するトランスポートブロックサイズ取得ステップ（Ｓ１３、Ｓ２６）と、
前記トランスポートブロックサイズからパケット伝送レートを求めるパケット伝送レート算出ステップ（Ｓ１６）と、
前記パケット伝送レート（２１１）を表示するパケット伝送レート表示ステップ（Ｓ１７）と、
前記移動通信端末の通信帯域幅（ＢＷ）の情報及び前記トランスミッションモードの情報を含む試験条件を入力する試験条件入力ステップ（Ｓ２１）と、
前記移動通信端末の通信能力を示す端末カテゴリの情報を前記移動通信端末から取得する端末カテゴリ情報取得ステップ（Ｓ２３）と、を含み、
前記トランスミッションモード情報取得ステップにおいて、前記試験条件入力ステップで入力したトランスミッションモードの情報を取得し、
前記変調符号化率方式情報取得ステップにおいて、前記通信帯域幅において取り得る最大のトランスポートブロックサイズ及び前記端末カテゴリにおいて取り得る最大のトランスポートブロックサイズのうち小さいトランスポートブロックサイズに基づいて前記変調符号化率方式の情報を取得し、
前記トランスポートブロックサイズ取得ステップにおいて、前記変調符号化率方式情報取得ステップが取得した変調符号化率方式の情報と、前記変調符号化率方式と前記トランスポートブロックサイズとの対応関係を示すトランスポートブロックサイズテーブルとから前記トランスポートブロックサイズを取得することを特徴とする移動通信端末試験方法。
【発明の詳細な説明】
【技術分野】
【０００１】
本発明は、例えば、携帯電話やモバイル端末等の移動通信端末を試験する移動通信端末試験装置及び移動通信端末試験方法に関する。
【背景技術】
【０００２】
従来、この種の移動通信端末試験装置としては、例えば、特許文献１に開示されたものが知られている。この移動通信端末試験装置は、試験対象の移動通信端末と、この移動通信端末に接続可能な複数の接続先との間に設けられた擬似基地局部と、複数の接続先のうちの１つと移動通信端末との間における通信手順及び通信状態をそれぞれ表示するシーケンス表示部及び通信状態表示部と、を備えている。この構成により、特許文献１記載の従来の移動通信端末試験装置は、移動通信端末と接続先との接続状態を試験者に容易に把握させることができるようになっている。
【先行技術文献】
【特許文献】
【０００３】
【特許文献１】特開２００６−５０５６７号公報
【発明の概要】
【発明が解決しようとする課題】
【０００４】
ところで、特許文献１では、第３世代通信方式（３Ｇ）であるＷ−ＣＤＭＡ（Wideband-Code Division Multiple Access）を例に挙げて説明してある。この方式は、例えば第２世代のＧＰＲＳ（General Packet Radio Service）よりも通信の高速化が図られた方式である。さらに近年では、Ｗ−ＣＤＭＡの次世代の通信規格として、３ＧＰＰ（Third Generation Partnership Project）によるＬＴＥ（Long Term Evolution）と呼ばれる通信規格が検討され、現在、導入が開始されている。
【０００５】
ＬＴＥにおいて、ダウンリンクについてはＯＦＤＭＡ（Orthogonal Frequency Division Multiple Access：直交周波数分割多元接続）、アップリンクについてはＳＣ−ＦＤＭＡ（Single Carrier-Frequency Division Multiple Access：シングルキャリア−周波数分割多元接続）が採用されている。
【０００６】
このＬＴＥでは、伝送路状況に応じて、変調符号化率方式（Modulation and Coding Scheme：ＭＣＳ）及びリソースブロック数（Number of Resource Blocks：ＮＲＢ）が定められるようになっている。
【０００７】
ここで、各通信方式でのパケット伝送レートに着目する。まず、ＧＰＲＳにおけるパケット伝送レートの理論的な最大値は、チャネルＣＳ（Channel Coding Scheme）とスロット数との積で表される。また、Ｗ−ＣＤＭＡにおけるパケット伝送レートの理論的な最大値は、Ｒｅｌｅａｓｅ９９では３８４ｋｂｐｓ、ＨＳＰＡではアップリンクで５．７６Ｍｂｐｓ、ダウンリンクで１４．４Ｍｂｐｓである。したがって、従来の移動通信端末試験装置において、ＧＰＲＳやＷ−ＣＤＭＡを用いて移動通信端末を試験する場合は、試験者は各通信方式でのパケット伝送レートが把握できるので、試験中におけるパケット伝送レートの表示は必要ではなかった。
【０００８】
しかしながら、前述のように、伝送路状況に応じてＭＣＳ及びＮＲＢが定められる通信方式を用いて移動通信端末を試験する場合は、伝送路状況に応じてパケット伝送レートが変化してしまうので、従来の移動通信端末試験装置では、試験者はパケット伝送レートを把握することができず、パケット伝送レートの理論上の最大値（以下「パケット伝送レートの理論値」という。）を表示できる装置が望まれていた。
【０００９】
本発明は、前述の事情に鑑みてなされたものであり、パケット伝送レートの理論値を表示することができる移動通信端末試験装置及び移動通信端末試験方法を提供することを目的とする。
【課題を解決するための手段】
【００１０】
本発明の請求項１に係る移動通信端末試験装置は、伝送路状況に応じて変調符号化率方式（ＭＣＳ）及びリソースブロック数（ＮＲＢ）が定められる通信方式により、予め定められたパケット伝送の動作モードを示すトランスミッションモード（ＴＭ）で動作する移動通信端末（５）を試験する移動通信端末試験装置（１、２）であって、前記変調符号化率方式の情報を取得する変調符号化率方式情報取得手段（５２、７３）と、前記リソースブロック数の情報を取得するリソースブロック数情報取得手段（５３、７１）と、前記トランスミッションモードの情報を取得するトランスミッションモード情報取得手段（５１）と、前記変調符号化率方式、前記リソースブロック数及び前記トランスミッションモードの各情報から所定時間当たりに伝送可能な最大のトランスポートブロックサイズ（ＴＢＳ）を取得するトランスポートブロックサイズ取得手段（４１）と、前記トランスポートブロックサイズからパケット伝送レートを求めるパケット伝送レート算出手段（４３）と、前記パケット伝送レート（２１１）を表示するパケット伝送レート表示手段（９３）と、前記移動通信端末の通信帯域幅（ＢＷ）の情報及び前記トランスミッションモードの情報を含む試験条件を入力する試験条件入力手段（９１）と、前記移動通信端末の通信能力を示す端末カテゴリの情報を前記移動通信端末から取得する端末カテゴリ情報取得手段（７２）と、前記変調符号化率方式と前記トランスポートブロックサイズとの対応関係を示すトランスポートブロックサイズテーブル（３２）を記憶するテーブル記憶手段（６０）と、を備え、前記トランスミッションモード情報取得手段は、前記試験条件入力手段が入力したトランスミッションモードの情報を取得するものであり、前記変調符号化率方式情報取得手段は、前記通信帯域幅において取り得る最大のトランスポートブロックサイズ及び前記端末カテゴリにおいて取り得る最大のトランスポートブロックサイズのうち小さいトランスポートブロックサイズに基づいて前記変調符号化率方式の情報を取得するものであり、前記トランスポートブロックサイズ取得手段は、前記変調符号化率方式情報取得手段が取得した変調符号化率方式の情報と前記トランスポートブロックサイズテーブルとから前記トランスポートブロックサイズを取得するものである構成を有している。
【００１１】
この構成により、本発明の請求項１に係る移動通信端末試験装置は、各情報に基づいてパケット伝送レートの理論値を求めてパケット伝送レート表示手段に表示するので、パケット伝送レートの理論値を表示することができる。
【００１５】
また、この構成により、本発明の請求項１に係る移動通信端末試験装置は、移動通信端末の通信帯域幅及びトランスミッションモードの各情報に基づいてパケット伝送レートの理論値を求めてパケット伝送レート表示手段に表示するので、パケット伝送レートの理論値を表示することができる。
【００１６】
本発明の請求項２に係る移動通信端末試験方法は、伝送路状況に応じて変調符号化率方式（ＭＣＳ）及びリソースブロック数（ＮＲＢ）が定められる通信方式により、予め定められたパケット伝送の動作モードを示すトランスミッションモード（ＴＭ）で動作する移動通信端末（５）を試験する移動通信端末試験方法であって、前記変調符号化率方式の情報を取得する変調符号化率方式情報取得ステップ（Ｓ１１、Ｓ２５）と、前記リソースブロック数の情報を取得するリソースブロック数情報取得ステップ（Ｓ１１、Ｓ２２）と、前記トランスミッションモードの情報を取得するトランスミッションモード情報取得ステップ（Ｓ１１）と、前記変調符号化率方式、前記リソースブロック数及び前記トランスミッションモードの各情報から所定時間当たりに伝送可能な最大のトランスポートブロックサイズ（ＴＢＳ）を取得するトランスポートブロックサイズ取得ステップ（Ｓ１３、Ｓ２６）と、前記トランスポートブロックサイズからパケット伝送レートを求めるパケット伝送レート算出ステップ（Ｓ１６）と、前記パケット伝送レート（２１１）を表示するパケット伝送レート表示ステップ（Ｓ１７）と、前記移動通信端末の通信帯域幅（ＢＷ）の情報及び前記トランスミッションモードの情報を含む試験条件を入力する試験条件入力ステップ（Ｓ２１）と、前記移動通信端末の通信能力を示す端末カテゴリの情報を前記移動通信端末から取得する端末カテゴリ情報取得ステップ（Ｓ２３）と、を含み、前記トランスミッションモード情報取得ステップにおいて、前記試験条件入力ステップで入力したトランスミッションモードの情報を取得し、前記変調符号化率方式情報取得ステップにおいて、前記通信帯域幅において取り得る最大のトランスポートブロックサイズ及び前記端末カテゴリにおいて取り得る最大のトランスポートブロックサイズのうち小さいトランスポートブロックサイズに基づいて前記変調符号化率方式の情報を取得し、前記トランスポートブロックサイズ取得ステップにおいて、前記変調符号化率方式情報取得ステップが取得した変調符号化率方式の情報と、前記変調符号化率方式と前記トランスポートブロックサイズとの対応関係を示すトランスポートブロックサイズテーブルとから前記トランスポートブロックサイズを取得する構成を有している。
【００１７】
この構成により、本発明の請求項２に係る移動通信端末試験方法は、各情報に基づいてパケット伝送レートの理論値を求め、パケット伝送レート表示ステップにおいて表示するので、パケット伝送レートの理論値を表示することができる。
【００２１】
また、この構成により、本発明の請求項２に係る移動通信端末試験方法は、移動通信端末の通信帯域幅及びトランスミッションモードの各情報に基づいてパケット伝送レートの理論値を求め、パケット伝送レート表示ステップにおいて表示するので、パケット伝送レートの理論値を表示することができる。
【発明の効果】
【００２２】
本発明は、パケット伝送レートの理論値を表示することができるという効果を有する移動通信端末試験装置及び移動通信端末試験方法を提供することができるものである。
【図面の簡単な説明】
【００２３】
【図１】本発明に係る移動通信端末試験装置の第１実施形態におけるブロック構成図である。
【図２】本発明に係る移動通信端末試験装置の第１実施形態において、ダウンリンク及びアップリンクにおけるＩＭＣＳとＩＴＢＳとの対応関係を示す図である。
【図３】本発明に係る移動通信端末試験装置の第１実施形態におけるＴＢＳテーブルを示す図である。
【図４】本発明に係る移動通信端末試験装置の第１実施形態におけるＴＢＳ変換テーブルを示す図である。
【図５】本発明に係る移動通信端末試験装置の第１実施形態における動作を示すフローチャートである。
【図６】本発明に係る移動通信端末試験装置の第１実施形態において、ＴＭ、ＭＣＳ、ＮＲＢが入力されるＧＵＩ画面を示す図である。
【図７】本発明に係る移動通信端末試験装置の第１実施形態における表示画面の一例を示す図である。
【図８】本発明に係る移動通信端末試験装置の第２実施形態におけるブロック構成図である。
【図９】本発明に係る移動通信端末試験装置の第２実施形態におけるＢＷＮＲＢテーブルを示す図である。
【図１０】本発明に係る移動通信端末試験装置の第２実施形態におけるＵＥカテゴリテーブルを示す図である。
【図１１】本発明に係る移動通信端末試験装置の第２実施形態における動作を示すフローチャートである。
【発明を実施するための形態】
【００２４】
以下、本発明の実施形態について図面を用いて説明する。
【００２５】
（第１実施形態）
まず、本発明に係る移動通信端末試験装置の第１実施形態における構成について説明する。
【００２６】
図１に示すように、本実施形態における移動通信端末試験装置１は、移動通信端末５を試験するものであって、擬似基地局装置１０、仮想接続装置２０、テーブル記憶装置３０、伝送レート算出装置４０、操作部９１、表示制御部９２、表示部９３、試験シナリオ記憶装置９４、パラメータ抽出部９５を備えている。この移動通信端末試験装置１は、例えば、ＣＰＵ、ＲＯＭ、ＲＡＭ、ＨＤＤ、インタフェース等を含むコンピュータにより構成される。
【００２７】
以下の説明では、擬似基地局装置１０が移動通信端末５との通信において、３ＧＰＰによるＬＴＥの通信規格を用いるものとする。このＬＴＥは、前述のように、伝送路状況に応じて変調符号化率方式（ＭＣＳ）及びリソースブロック数（ＮＲＢ）が定められ、パケット伝送の動作モードを示すトランスミッションモード（Transmission Mode：ＴＭ）が指定されて通信を行うものである。本実施形態では、移動通信端末試験装置１に対して、ＭＣＳ、ＮＲＢ及びＴＭの各情報を試験者が入力して移動通信端末５を試験する形態を説明する。
【００２８】
擬似基地局装置１０は、試験対象である移動通信端末５と仮想接続装置２０との間において信号を送受信することにより基地局を擬似する装置である。この擬似基地局装置１０は、図示を省略したが、移動通信端末５又は仮想接続装置２０にパケットを送信する送信部、移動通信端末５又は仮想接続装置２０からパケットを受信する受信部、送受信の制御や処理を行う制御部等を備えている。
【００２９】
仮想接続装置２０は、仮想移動通信端末２１、仮想ＳＭＳ（Short Message Service）サーバ２２、仮想テレビ電話２３、仮想ネットワークＰＣ２４、接続先選択部２５を備えている。接続先選択部２５は、擬似基地局装置１０を介して操作部９１からの選択信号に基づいて仮想接続先を選択するようになっている。本実施形態では、接続先選択部２５は、仮想移動通信端末２１を選択しているものとする。
【００３０】
テーブル記憶装置３０は、インデックステーブル３１、ＴＢＳ（Transport Block Size：トランスポートブロックサイズ）テーブル３２、ＴＢＳ変換テーブル３３を記憶している。ここで、ＴＢＳは、帯域幅全体で所定のパケット誤り率を満たしながら伝送できる情報ビットの数を表す。なお、テーブル記憶装置３０は、本発明に係るテーブル記憶手段を構成する。
【００３１】
インデックステーブル３１は、ＭＣＳを示すインデックス（ＩＭＣＳ）と、ＴＢＳを求めるために予め用意されたＴＢＳインデックス（ＩＴＢＳ）との対応関係をテーブルとして予め作成されたものである。このインデックステーブル３１は、技術仕様書「３ＧＰＰ  ＴＳ  ３６．２１３」に記載されており、図２に示す。
【００３２】
図２（ａ）及び図２（ｂ）は、それぞれ、ダウンリンク及びアップリンクにおけるＩＭＣＳとＩＴＢＳとの対応関係を示している。例えば、図２（ａ）において、ＩＭＣＳ＝２０に対応するのはＩＴＢＳ＝１８である。ここで、両者間に記載のＱｍ＝６は、変調方式が６４ＱＡＭ（Quadrature Amplitude Modulation）方式であることを表している。その他、Ｑｍ＝２はＱＰＳＫ（Quadrature Phase Shift Keying）、Ｑｍ＝４は１６ＱＡＭを表している。
【００３３】
ＴＢＳテーブル３２は、ＴＭ１又はＴＭ２におけるＩＴＢＳとＮＲＢとの対応関係を予め算出してテーブル化したものである。ここで、ＴＭ１は１アンテナでの受信モード、ＴＭ２はＭＩＭＯ（Multiple Input Multiple Output）技術により２アンテナを用いてダイバシティによる受信モードである。ＴＢＳテーブル３２を図３に示す。なお、ＴＢＳテーブル３２は、本発明に係るトランスポートブロックサイズテーブルを構成する。
【００３４】
図３に示すように、ＴＢＳテーブル３２は、ＩＴＢＳが０〜２６までの範囲と、ＮＲＢが１から１１０までの範囲とにおいて、１０ミリ秒のフレーム間隔で伝送可能な最大ビット数を示したものである。例えば、ＩＴＢＳ＝２５でＮＲＢ＝１０９の場合では、１０ミリ秒のフレーム間隔で伝送可能な最大ビット数は６８８０８ビットである。
【００３５】
ＴＢＳ変換テーブル３３は、ダウンリンクにおけるＴＭ１又はＴＭ２と、ＴＭ３との間でのＴＢＳの換算値を対応させたテーブルである。ここで、ＴＭ３はＭＩＭＯ技術により２アンテナを用いて空間多重による受信モードを示す。このＴＢＳ変換テーブル３３は、技術仕様書「３ＧＰＰ  ＴＳ  ３６．２１３」に記載されており、図４に示す。
【００３６】
図４に示すように、ＴＢＳ変換テーブル３３は、ＴＭ１又はＴＭ２でのＴＢＳ（ＴＢＳＬ１）と、ＴＭ３でのＴＢＳ（ＴＢＳＬ２）との対応関係を示している。例えば、ＴＢＳＬ１＝７３７１２ビットに対応する値はＴＢＳＬ２＝１４６８５６ビットである。
【００３７】
伝送レート算出装置４０は、ＴＢＳ取得部４１、ＴＢＳ変換部４２、パケット伝送レート算出部４３、パラメータ入力部５０を備えている。
【００３８】
パラメータ入力部５０は、パケット伝送レートを算出ための各パラメータを操作部９１から入力するものであって、ＴＭ情報を入力するＴＭ入力部５１、ＭＣＳ情報を入力するＭＣＳ入力部５２、ＮＲＢ情報を入力するＮＲＢ入力部５３を備えている。
【００３９】
ＴＢＳ取得部４１は、ＭＣＳ入力部５２が取得したＭＣＳ情報と、ＮＲＢ入力部５３が取得したＮＲＢ情報とに基づいて、ＴＭ１又はＴＭ２でのＴＢＳを取得するようになっている。このＴＢＳ取得部４１は、本発明に係るトランスポートブロックサイズ取得手段を構成する。
【００４０】
ＴＢＳ変換部４２は、ＴＭ３の場合のＴＢＳを、ＴＢＳ変換テーブル３３を参照して求めるようになっている。
【００４１】
パケット伝送レート算出部４３は、ＴＭ１又はＴＭ２でのＴＢＳ、又はＴＭ３でのＴＢＳに基づいてパケット伝送レートの理論値を算出するようになっている。このパケット伝送レート算出部４３は、本発明に係るパケット伝送レート算出手段を構成する。
【００４２】
操作部９１は、試験者が操作するものであり、例えば、アップリンク又はダウンリンクでの試験条件、試験手順に関する設定、パラメータ入力部５０が入力する各情報の入力等を行うため、キーボード、ダイヤル又はマウスのような入力デバイス、これらを制御する制御回路等で構成される。この操作部９１は、本発明に係る試験条件入力手段を構成する。
【００４３】
表示制御部９２は、擬似基地局装置１０からの各種メッセージや、伝送レート算出装置４０が算出したパケット伝送レート等を表示部９３の画面に表示させるよう制御するようになっている。
【００４４】
表示部９３は、例えば液晶ディスプレイで構成され、表示制御部９２の制御に従って、擬似基地局装置１０からの各種メッセージ、伝送レート算出装置４０が算出したパケット伝送レート等を表示するようになっている。なお、表示部９３は、本発明に係るパケット伝送レート表示手段を構成する。
【００４５】
試験シナリオ記憶装置９４は、移動通信端末５を試験するための試験手順である、試験シナリオを記憶している。擬似基地局装置１０及び仮想接続装置２０は、この試験シナリオに従って制御される。また、パラメータ抽出部９５は、試験シナリオに記載されている各パラメータを抽出し、パラメータ入力部５０に送出するようになっている。
【００４６】
次に、本実施形態における移動通信端末試験装置１の動作について図５に示すフローチャートを用いて説明する。
【００４７】
試験者が操作部９１を操作することにより、ＴＭ、ＭＣＳ、ＮＲＢが入力される（ステップＳ１１）。これらの各データは、例えば図６に示すＧＵＩ画面１００を用いて入力されたものとする。すなわち、ＧＵＩ画面１００に入力された各データは、ダウンリンク（ＤＬ）においてＭＣＳ＝２３、ＮＲＢ＝１００、ＴＭ＝３、アップリンク（ＵＬ）においてＭＣＳ＝２３、ＮＲＢ＝１００であったとして、以下ダウンリンクに関して説明する。これらのデータは、操作部９１からパラメータ入力部５０に入力される。具体的には、ＴＭ入力部５１はＴＭ＝３を、ＭＣＳ入力部５２はＭＣＳ＝２３を、ＮＲＢ入力部５３はＮＲＢ＝１００をそれぞれ入力する。ここで、ＴＭ入力部５１、ＭＣＳ入力部５２及びＮＲＢ入力部５３は、それぞれ、本発明に係るトランスミッションモード情報取得手段、変調符号化率方式情報取得手段及びリソースブロック数情報取得手段を構成する。なお、パラメータ入力部５０は、各パラメータを、パラメータ抽出部９５から取得するようにしてもよい。この場合、パラメータ抽出部９５は、本発明に係る試験条件入力手段を構成する。
【００４８】
ＴＢＳ取得部４１は、ＩＴＢＳを求める（ステップＳ１２）。すなわち、ＴＢＳ取得部４１は、インデックステーブル３１を参照し、ＭＣＳ＝２３に対応するＩＴＢＳ＝２１を求める（図２（ａ）参照）。
【００４９】
さらに、ＴＢＳ取得部４１は、ＴＢＳを求める（ステップＳ１３）。すなわち、ＴＢＳ取得部４１は、ＴＢＳテーブル３２を参照し、ＩＴＢＳ＝２１に対応するＮＲＢ＝１００でのＴＢＳ＝５１０２４ビットを求める（図３参照）。
【００５０】
ＴＢＳ変換部４２は、ＴＭ入力部５１が入力した情報に基づいて、ＴＭ＝１、ＴＭ＝２及びＴＭ＝３の何れであるかを判断する（ステップＳ１４）。
【００５１】
ステップＳ１４においてＴＭ＝１又はＴＭ＝２である場合は後述するステップＳ１６に進む。一方、ステップＳ１４においてＴＭ＝３である場合は、ＴＢＳ変換部４２は、ＴＢＳ変換テーブル３３を参照して、ＴＢＳを変換する（ステップＳ１５）。本実施形態では、ＴＭ＝３としているので、ＴＢＳ変換部４２は、ＴＢＳ変換テーブル３３を参照して、ステップＳ１３で求めたＴＢＳ＝５１０２４ビットをＴＢＳ＝１０１８４０ビットに変換する（図４参照）。
【００５２】
パケット伝送レート算出部４３は、パケット伝送レートの理論値を算出する（ステップＳ１６）。具体的には、パケット伝送レート算出部４３は、ステップＳ１５で求めたＴＢＳ＝１０１８４０ビット（１０ミリ秒間での最大伝送値）を１秒間当たりのビットレートに換算することにより、パケット伝送レートの理論値を算出する。すなわち、パケット伝送レート算出部４３は、１０１８４０ビットを１０ミリ秒で除算し、１０１．８４Ｍｂｐｓを得る。
【００５３】
伝送レート算出装置４０は、求めたパケット伝送レートの理論値のデータを表示制御部９２に送信し、表示制御部９２は、擬似基地局装置１０からの各種メッセージとともにパケット伝送レートの理論値を表示部９３の画面に表示する（ステップＳ１７）。
【００５４】
図７は、表示部９３が表示した表示画面の一例である。表示画面２００は、試験対象の移動通信端末５を示す画像２０１と、相手側の仮想移動通信端末２１を示す画像２０２と、両者がＬＴＥを用いて通信中であることを示す画像２０６と、両者が通信中であることを斜線で示す伝送路線図２０７及び２０８と、両者間の通信状態を表示する通信状態表示部２１０とを含む。通信状態表示部２１０の"Ｒａｔｅ"欄には、前述の手順で求めた、ダウンリンクにおけるパケット伝送レートの理論値２１１が表示されている。なお、表示画面２００には、現在通信中ではない仮想ＳＭＳサーバ２２、仮想テレビ電話２３、仮想ネットワークＰＣ２４をそれぞれ示す画像２０３、２０４及び２０５も表示されている。
【００５５】
以上のように、本実施形態における移動通信端末試験装置１は、ＴＭ、ＭＣＳ及びＮＲＢの各情報を入力するパラメータ入力部５０と、各情報に基づいてパケット伝送レートの理論値の算出するパケット伝送レート算出部４３と、パケット伝送レートの理論値を表示する表示部９３とを備える構成としたので、伝送路状況に応じてＭＣＳ及びＮＲＢが定められる通信方式を用いて移動通信端末を試験する場合でも、パケット伝送レートの理論値を表示することができる。
【００５６】
（第２実施形態）
まず、本発明に係る移動通信端末試験装置の第２実施形態における構成について説明する。
【００５７】
図８に示すように、本実施形態における移動通信端末試験装置２は、第１実施形態における移動通信端末試験装置１（図１参照）の構成を一部変更したものである。したがって、第１実施形態と異なる点を主に説明し、第１実施形態と同様な構成には同一の符号を付してその説明を省略する。本実施形態は、移動通信端末試験装置２に対して、ＴＭ及び通信帯域幅（Bandwidth：ＢＷ）の各情報を試験者が入力して移動通信端末５を試験する形態を説明するものである。
【００５８】
本実施形態における移動通信端末試験装置２は、テーブル記憶装置６０、伝送レート算出装置７０を備えている。
【００５９】
テーブル記憶装置６０は、インデックステーブル３１、ＴＢＳテーブル３２、ＢＷＮＲＢテーブル６１、ＵＥカテゴリテーブル６２を記憶している。このテーブル記憶装置６０は、本発明に係るテーブル記憶手段を構成する。
【００６０】
ＢＷＮＲＢテーブル６１は、通信帯域幅（ＢＷ）と、リソースブロック数（ＮＲＢ）の取り得る最大値との対応関係を示したものである。このＢＷＮＲＢテーブル６１は、技術仕様書「３ＧＰＰ  ＴＳ  ３６．１０１」に記載されており、図９に示す。
【００６１】
図９に示すように、ＢＷＮＲＢテーブル６１は、ＢＷ＝１．４ＭＨｚ、３ＭＨｚ、５ＭＨｚ、１０ＭＨｚ、１５ＭＨｚ及び２０ＭＨｚでのＮＲＢの取り得る最大値を対応付けている。例えば、ＢＷ＝２０ＭＨｚではＮＲＢの最大値は１００である。
【００６２】
ＵＥカテゴリテーブル６２は、ＵＥ（User Equipment：移動通信端末）の通信能力を示す端末カテゴリと、伝送時間間隔（Transmission Time Interval：ＴＴＩ）で取り得るＮＲＢの最大値との対応関係を示したものである。端末カテゴリは移動通信端末ごとに予め設定されており、通信によって移動通信端末から取得可能である。このＵＥカテゴリテーブル６２は、技術仕様書「３ＧＰＰ  ＴＳ  ３６．３０６」に記載されており、図１０に示す。
【００６３】
図１０において、図１０（ａ）はダウンリンクのＵＥカテゴリテーブルを、図１０（ｂ）はアップリンクのＵＥカテゴリテーブルをそれぞれ示している。図１０（ａ）及び図１０（ｂ）では端末カテゴリは１から５までで定義されている。
【００６４】
図１０（ａ）において、端末カテゴリ欄の１つ隣の欄には、各端末カテゴリにおけるＴＭ３でのＴＢＳの最大値が表され、さらにその隣の欄には、各端末カテゴリにおけるＴＭ１又はＴＭ２でのＴＢＳの最大値が表されている。例えば、端末カテゴリ＝３とした場合、ＴＭ３でのＴＢＳの最大値＝１０２０４８ビット、ＴＭ１又はＴＭ２でのＴＢＳの最大値＝７５３７６ビットである。
【００６５】
伝送レート算出装置７０は、ＮＲＢ取得部７１、Ｃａｔ取得部７２、ＭＣＳ取得部７３、パラメータ入力部８０を備えている。
【００６６】
パラメータ入力部８０は、通信帯域幅の情報を入力するＢＷ入力部８１を備えている。
【００６７】
ＮＲＢ取得部７１は、ＢＷＮＲＢテーブル６１を参照し、ＢＷ入力部８１が入力した通信帯域幅の情報からＮＲＢの情報を取得するようになっている。このＮＲＢ取得部７１は、本発明に係るリソースブロック数情報取得手段を構成する。
【００６８】
Ｃａｔ取得部７２は、擬似基地局装置１０を介して、移動通信端末５の端末カテゴリ情報を取得するようになっている。このＣａｔ取得部７２は、本発明に係る端末カテゴリ情報取得手段を構成する。
【００６９】
ＭＣＳ取得部７３は、ＮＲＢ取得部７１が取得したＮＲＢでのＴＢＳと、ＵＥカテゴリテーブル６２を参照して移動通信端末５の端末カテゴリ情報から求めたＮＲＢでのＴＢＳとに基づいて、ＭＣＳを取得するようになっている。このＭＣＳ取得部７３は、本発明に係る変調符号化率方式情報取得手段を構成する。
【００７０】
次に、本実施形態における移動通信端末試験装置２の動作について図１１に示すフローチャートを用いて説明する。
【００７１】
試験者が操作部９１を操作することにより（又は、パラメータ抽出部９５がパラメータを抽出して）、ＴＭ、ＢＷが入力される（ステップＳ２１）。ここで、ＴＭ＝１、ＢＷ＝２０ＭＨｚとする。
【００７２】
ＮＲＢ取得部７１は、ＢＷＮＲＢテーブル６１を参照し、ＮＲＢを求める（ステップＳ２２）。具体的には、ＮＲＢ取得部７１は、ＢＷＮＲＢテーブル６１を参照し、ＢＷ＝２０ＭＨｚでのＮＲＢ＝１００を得る。
【００７３】
ＴＢＳ取得部４１は、ＴＢＳテーブル３２を参照し、ＮＲＢ＝１００での最大のＴＢＳ（以下「第１ＴＢＳ」という。）＝７５３７６ビットを得る（図３参照）。
【００７４】
Ｃａｔ取得部７２は、擬似基地局装置１０を介し、移動通信端末５の端末カテゴリの情報を取得する（ステップＳ２３）。このステップで取得した端末カテゴリ＝３とする。
【００７５】
ＴＢＳ取得部４１は、ＵＥカテゴリテーブル６２を参照し、ステップＳ２１で入力したＴＭ＝１及び端末カテゴリ＝３の条件よりＴＢＳ（以下「第２ＴＢＳ」という。）＝７５３７６ビットを得る。
【００７６】
ＴＢＳ取得部４１は、第１ＴＢＳと第２ＴＢＳとを比較し、少数のＴＢＳ（以下「ＴＢＳｍａｘ」で表す。）を求める（ステップＳ２４）。前述の例では第１ＴＢＳ＝第２ＴＢＳ＝７５３７６ビットであるので、ＴＢＳｍａｘ＝７５３７６ビットである。
【００７７】
ＭＣＳ取得部７３は、ＴＢＳｍａｘ以下で、かつ、ＣＲ（コードレート）≦０．９３となるＭＣＳを求める（ステップＳ２５）。ここで、ＣＲは、パケット伝送する際のコーディングする比率を示したもので、技術仕様書「３ＧＰＰ  ＴＳ  ３６．２１３」に記載された計算式により、ＭＣＳ、ＮＲＢ及びＣＦＩ（Control Format Indicator）の３つから求まるものである。すなわち、ＣＲ＝ＴＢＳ／ＲＥ（Resource Element）で計算される。ＲＥは、リソースの単位であり、ＲＥの集合がリソースブロックである。ここで、ＴＢＳはＭＣＳとＮＲＢに基づいて決定され、ＲＥはＣＦＩに基づいて決定される。前述のＴＢＳｍａｘ＝７５３７６ビット以下、かつ、ＣＲ≦０．９３を満たすＭＣＲを計算した結果、ＭＣＳ＝２７、ＣＲ＝０．８３７が得られる。
【００７８】
ＴＢＳ取得部４１は、インデックステーブル３１を参照し、ＭＣＳ＝２７に対応するＩＴＢＳ＝２５を求める（図２（ａ）参照）。
【００７９】
ＴＢＳ取得部４１は、ＴＢＳテーブル３２を参照し、ＩＴＢＳ＝２５とＮＲＢ＝１００との交点より、ＴＢＳ＝６３７７６ビットを求める（ステップＳ２６）。
【００８０】
パケット伝送レート算出部４３は、パケット伝送レートの理論値を算出する（ステップＳ１６）。具体的には、パケット伝送レート算出部４３は、ステップＳ２６で求めたＴＢＳ＝６３７７６ビット（１０ミリ秒間での伝送値）を１秒間当たりのビットレートに換算することにより、パケット伝送レートの理論値を算出する。すなわち、パケット伝送レート算出部４３は、６３７７６ビットを１０ミリ秒で除算し、６３．７７６Ｍｂｐｓを得る。
【００８１】
伝送レート算出装置４０は、求めたパケット伝送レートの理論値のデータを表示制御部９２に送信し、表示制御部９２は、擬似基地局装置１０からの各種メッセージとともにパケット伝送レートの理論値を表示部９３の画面に表示する（ステップＳ１７）。
【００８２】
以上のように、本実施形態における移動通信端末試験装置２は、ＴＭ及びＢＷの各情報を入力するパラメータ入力部８０と、各情報に基づいてパケット伝送レートの理論値の算出するパケット伝送レート算出部４３と、パケット伝送レートの理論値を表示する表示部９３とを備える構成としたので、伝送路状況に応じてＭＣＳ及びＮＲＢが定められる通信方式を用いて移動通信端末を試験する場合でも、パケット伝送レートの理論値を表示することができる。
【産業上の利用可能性】
【００８３】
以上のように、本発明に係る移動通信端末試験装置及び移動通信端末試験方法は、パケット伝送レートの理論値を表示することができるという効果を有し、伝送路状況に応じてＭＣＳ及びＮＲＢが定められる通信方式を用いて、携帯電話やモバイル端末等の移動通信端末を試験する移動通信端末試験装置及び移動通信端末試験方法として有用である。
【符号の説明】
【００８４】
１、２  移動通信端末試験装置
５  移動通信端末
１０  擬似基地局装置
２０  仮想接続装置
２１  仮想移動通信端末
２２  仮想ＳＭＳサーバ
２３  仮想テレビ電話
２４  仮想ネットワークＰＣ
２５  接続先選択部
３０、６０  テーブル記憶装置（テーブル記憶手段）
３１  インデックステーブル
３２  ＴＢＳテーブル（トランスポートブロックサイズテーブル）
３３  ＴＢＳ変換テーブル
４０、７０  伝送レート算出装置
４１  ＴＢＳ取得部（トランスポートブロックサイズ取得手段）
４２  ＴＢＳ変換部
４３  パケット伝送レート算出部（パケット伝送レート算出手段）
５０、８０  パラメータ入力部
５１  ＴＭ入力部（トランスミッションモード情報取得手段）
５２  ＭＣＳ入力部（変調符号化率方式情報取得手段）
５３  ＮＲＢ入力部（リソースブロック数情報取得手段）
６１  ＢＷＮＲＢテーブル
６２  ＵＥカテゴリテーブル
７１  ＮＲＢ取得部（リソースブロック数情報取得手段）
７２  Ｃａｔ取得部（端末カテゴリ情報取得手段）
７３  ＭＣＳ取得部（変調符号化率方式情報取得手段）
８１  ＢＷ入力部
９１  操作部（試験条件入力手段）
９２  表示制御部
９３  表示部（パケット伝送レート表示手段）
９４  試験シナリオ記憶装置
９５  パラメータ抽出部（試験条件入力手段）
１００  ＧＵＩ画面
２００  表示画面
２０１〜２０６  画像
２０７  伝送路線図
２１０  通信状態表示部
２１１  パケット伝送レートの理論値
【図１】
0005337843.tif 000002
【図２】
0005337843.tif 000003
【図３】
0005337843.tif 000004
【図４】
0005337843.tif 000005
【図５】
0005337843.tif 000006
【図６】
0005337843.tif 000007
【図７】
0005337843.tif 000008
【図８】
0005337843.tif 000009
【図９】
0005337843.tif 000010
【図１０】
0005337843.tif 000011
【図１１】
0005337843.tif 000012